【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によってサブフレームのバンドルにわたって、バンドリングされた送信としてアップリンク制御情報（ＵＣＩ）を送信する方法であって、
物理アップリンク共有チャネル（ＰＵＳＣＨ）を送信するために第１のバンドリングサイズを決定することと、
前記ＵＣＩを送信するために第２のバンドリングサイズを決定することと、
前記第１および第２のバンドリングサイズに従って、バンドリングされた送信として前記ＵＣＩおよび前記ＰＵＳＣＨを送信することと
を備える、方法。
【請求項２】
前記ＵＣＩとＰＵＳＣＨとの間の重複の量に少なくとも部分的に基づいて、バンドリングされた送信として前記ＵＣＩをいつ送信するかを決定すること
をさらに備える、請求項１に記載の方法。
【請求項３】
前記ＵＣＩをいつ送信するかを決定することは、
ＵＣＩがＰＵＳＣＨと重複する場合、前記バンドル内の全てのサブフレーム上のＰＵＳＣＨ内の前記ＵＣＩを送信すること
を備える、請求項２に記載の方法。
【請求項４】
前記ＵＣＩをいつ送信するかを決定することはさらに、
ＵＣＩがＰＵＳＣＨと重複しない場合、前記バンドル内の全てのサブフレーム上の物理アップリンク制御チャネル（ＰＵＣＣＨ）内の前記ＵＣＩを送信すること
を備える、請求項３に記載の方法。
【請求項５】
前記ＵＣＩをいつ送信するかを決定することは、
ＵＣＩがＰＵＳＣＨ上で送信されるか、または物理アップリンク制御チャネル（ＰＵＣＣＨ）上で送信されるかに依存して、異なる周波数リソース上で前記ＵＣＩを送信すること
を備える、請求項２に記載の方法。
【請求項６】
前記ＵＣＩをいつ送信するかを決定することは、
ＵＣＩとＰＵＳＣＨとが重複する場合、ＵＣＩをドロップすることと、
ＵＣＩとＰＵＳＣＨとが重複しない場合、ＵＣＩを送信することと
を備える、請求項２に記載の方法。
【請求項７】
基地局（ＢＳ）によってサブフレームのバンドルにわたって、バンドリングされた送信としてアップリンク制御情報（ＵＣＩ）を受信する方法であって、
物理アップリンク共有チャネル（ＰＵＳＣＨ）を送信するために、ユーザ機器（ＵＥ）のための第１のバンドリングサイズを決定することと、
前記ＵＣＩを送信するために、前記ＵＥのための第２のバンドリングサイズを決定することと、
前記第１および第２のバンドリングサイズに従って、前記ＵＥからのバンドリングされた送信として前記ＵＣＩおよび前記ＰＵＳＣＨを受信することと
を備える、方法。
【請求項８】
前記ＵＣＩとＰＵＳＣＨとの間の重複の量に少なくとも部分的に基づいて、バンドリングされた送信として、前記ＵＥが前記ＵＣＩをいつ送信するかを決定すること
をさらに備える、請求項７に記載の方法。
【請求項９】
バンドリングされた送信として、前記ＵＥが前記ＵＣＩをいつ送信するかを決定することは、
ＵＣＩがＰＵＳＣＨと重複する場合、前記ＵＥが、前記バンドル内の全てのサブフレーム上のＰＵＳＣＨ内の前記ＵＣＩを送信すると決定すること
を備える、請求項８に記載の方法。
【請求項１０】
バンドリングされた送信として、前記ＵＥが前記ＵＣＩをいつ送信するかを決定することは、
ＵＣＩが、前記ＵＥによってＰＵＳＣＨ上で送信されるか、または物理アップリンク制御チャネル（ＰＵＣＣＨ）上で送信されるかに依存して、前記ＵＥが、異なる周波数リソース上で前記ＵＣＩを送信すると決定すること
を備える、請求項８に記載の方法。
【請求項１１】
前記バンドリングされた送信の１つまたは複数のパラメータに少なくとも部分的に基づいて、ＵＣＩリソースを計算すること
をさらに備え、
バンドリングされた送信についての前記ＵＣＩリソース計算は、バンドリングなしのＵＣＩリソース計算とは異なる、請求項７に記載の方法。
【請求項１２】
前記ＵＣＩリソース計算は、バンドリングサイズに少なくとも部分的に基づく、請求項１１に記載の方法。
【請求項１３】
ユーザ機器（ＵＥ）によってサブフレームのバンドルにわたって、バンドリングされた送信としてアップリンク制御情報（ＵＣＩ）を送信するための装置であって、
物理アップリンク共有チャネル（ＰＵＳＣＨ）を送信するために第１のバンドリングサイズを決定するための手段と、
前記ＵＣＩを送信するために第２のバンドリングサイズを決定するための手段と、
前記第１および第２のバンドリングサイズに従って、バンドリングされた送信として前記ＵＣＩおよび前記ＰＵＳＣＨを送信するための手段と
を備える、装置。
【請求項１４】
基地局（ＢＳ）によってサブフレームのバンドルにわたって、バンドリングされた送信としてアップリンク制御情報（ＵＣＩ）を受信するための装置であって、
物理アップリンク共有チャネル（ＰＵＳＣＨ）を送信するために、ユーザ機器（ＵＥ）のための第１のバンドリングサイズを決定するための手段と、
前記ＵＣＩを送信するために、前記ＵＥのための第２のバンドリングサイズを決定するための手段と、
前記第１および第２のバンドリングサイズに従って、前記ＵＥからのバンドリングされた送信として前記ＵＣＩおよび前記ＰＵＳＣＨを受信するための手段と
を備える、装置。
【請求項１５】
コンピュータ上で実行されるとき、請求項１から６、または請求項７から１２のいずれか一項に記載の方法を実行するための命令を備える、コンピュータプログラム。
【手続補正２】
【補正対象書類名】明細書
【補正対象項目名】００８３
【補正方法】変更
【補正の内容】
【００８３】
[0091]  本開示の先の説明は、当業者が本開示を実行または使用することを可能にするために提供される。本開示に対する様々な変更は、当業者に対して容易に明らかであり、本明細書で定義される一般的な原理は、本開示の精神または範囲から逸脱することなく他のバリエーションに適用され得る。従って、本開示は、本明細書において説明された例および設計に限定されることが意図されるものではなく、本明細書に開示される原理および新規の特徴と一致する最も広い範囲が付与されるべきものである。
以下に本願の出願当初の特許請求の範囲に記載された発明を付記する。
［Ｃ１］
ユーザ機器（ＵＥ）によってサブフレームのバンドルにわたって、バンドリングされた送信としてアップリンク制御情報（ＵＣＩ）を送信する方法であって、
物理アップリンク共有チャネル（ＰＵＳＣＨ）を送信するために第１のバンドリングサイズを決定することと、
前記ＵＣＩを送信するために第２のバンドリングサイズを決定することと、
前記第１および第２のバンドリングサイズに従って、バンドリングされた送信として前記ＵＣＩおよび前記ＰＵＳＣＨを送信することと
を備える、方法。
［Ｃ２］
前記ＵＣＩが物理アップリンク制御チャネル（ＰＵＣＣＨ）上で送信されるか、またはＰＵＳＣＨ上で送信されるかに依存して、別個のバンドリングサイズが前記ＵＣＩを送信するために使用される、Ｃ１に記載の方法。
［Ｃ３］
前記第１および第２のバンドリングサイズのうちの少なくとも１つを示すシグナリングを受信すること
をさらに備える、Ｃ１に記載の方法。
［Ｃ４］
前記第１のバンドリングサイズを示すシグナリングを受信することと、
前記第１のバンドリングサイズに少なくとも部分的に基づいて、前記第２のバンドリングサイズを決定することと
を備える、Ｃ３に記載の方法。
［Ｃ５］
前記ＵＣＩとＰＵＳＣＨとの間の重複の量に少なくとも部分的に基づいて、バンドリングされた送信として前記ＵＣＩをいつ送信するかを決定すること
をさらに備える、Ｃ１に記載の方法。
［Ｃ６］
前記ＵＣＩをいつ送信するかを決定することは、
ＵＣＩがＰＵＳＣＨと重複する場合、前記バンドル内の全てのサブフレーム上のＰＵＳＣＨ内の前記ＵＣＩを送信すること
を備える、Ｃ５に記載の方法。
［Ｃ７］
前記ＵＣＩをいつ送信するかを決定することはさらに、
ＵＣＩがＰＵＳＣＨと重複しない場合、前記バンドル内の全てのサブフレーム上の物理アップリンク制御チャネル（ＰＵＣＣＨ）内の前記ＵＣＩを送信すること
を備える、Ｃ６に記載の方法。
［Ｃ８］
前記ＵＣＩをいつ送信するかを決定することは、
ＵＣＩがＰＵＳＣＨ上で送信されるか、または物理アップリンク制御チャネル（ＰＵＣＣＨ）上で送信されるかに依存して、異なる周波数リソース上で前記ＵＣＩを送信すること
を備える、Ｃ５に記載の方法。
［Ｃ９］
前記ＵＣＩをいつ送信するかを決定することは、
ＵＣＩとＰＵＳＣＨとが重複する場合、ＵＣＩをドロップすることと、
ＵＣＩとＰＵＳＣＨとが重複しない場合、ＵＣＩを送信することと
を備える、Ｃ５に記載の方法。
［Ｃ１０］
前記バンドリングされた送信の１つまたは複数のパラメータに少なくとも部分的に基づいて、ＵＣＩリソースを計算すること
をさらに備え、
バンドリングされた送信についてのＵＣＩリソース計算は、バンドリングなしのＵＣＩリソース計算とは異なる、Ｃ１に記載の方法。
［Ｃ１１］
前記ＵＣＩリソース計算はバンドリングサイズに少なくとも部分的に基づく、Ｃ１０に記載の方法。
［Ｃ１２］
前記ＵＣＩリソース計算は、ＰＵＳＣＨとＵＣＩとの重複の量に少なくとも部分的に基づく、Ｃ１０に記載の方法。
［Ｃ１３］
前記バンドリングされた送信の１つまたは複数のパラメータに基づいて、バンドリングされた送信として、どのタイプのＵＣＩを送信するかを決定することをさらに備える、Ｃ１に記載の方法。
［Ｃ１４］
前記バンドリングされた送信の前記１つまたは複数のパラメータは、バンドリングの長さ、トランスポートブロックのサイズ、またはリソース割り当てのサイズのうちの少なくとも１つを備える、Ｃ１３に記載の方法。
［Ｃ１５］
前記バンドリングされた送信の１つまたは複数のパラメータに基づいて、バンドリングされた送信として、どのタイプのＵＣＩを送信するかを決定することは、
バンドリングされた送信として、ランクインジケーション（ＲＩ）またはチャネル品質インジケータ（ＣＱＩ）のうちの少なくとも１つを送信すると決定すること
を備える、Ｃ１３に記載の方法。
［Ｃ１６］
基地局（ＢＳ）によってサブフレームのバンドルにわたって、バンドリングされた送信としてアップリンク制御情報（ＵＣＩ）を受信する方法であって、
物理アップリンク共有チャネル（ＰＵＳＣＨ）を送信するために、ユーザ機器（ＵＥ）のための第１のバンドリングサイズを決定することと、
前記ＵＣＩを送信するために、前記ＵＥのための第２のバンドリングサイズを決定することと、
前記第１および第２のバンドリングサイズに従って、前記ＵＥからのバンドリングされた送信として前記ＵＣＩおよび前記ＰＵＳＣＨを受信することと
を備える、方法。
［Ｃ１７］
前記ＵＣＩが物理アップリンク制御チャネル（ＰＵＣＣＨ）上で送信されるか、またはＰＵＳＣＨ上で送信されるかに依存して、別個のバンドリングサイズが前記ＵＣＩを送信するために使用される、Ｃ１６に記載の方法。
［Ｃ１８］
前記第１および第２のバンドリングサイズのうちの少なくとも１つを示すシグナリングを送信すること
をさらに備える、Ｃ１６に記載の方法。
［Ｃ１９］
前記第２のバンドリングサイズを決定する際に使用するために、前記ＵＥのための前記第１のバンドリングサイズを示すシグナリングを送信すること
を備える、Ｃ１８に記載の方法。
［Ｃ２０］
前記ＵＣＩとＰＵＳＣＨとの間の重複の量に少なくとも部分的に基づいて、バンドリングされた送信として、前記ＵＥが前記ＵＣＩをいつ送信するかを決定すること
をさらに備える、Ｃ１６に記載の方法。
［Ｃ２１］
バンドリングされた送信として、前記ＵＥが前記ＵＣＩをいつ送信するかを決定することは、
ＵＣＩがＰＵＳＣＨと重複する場合、前記ＵＥが、前記バンドル内の全てのサブフレーム上のＰＵＳＣＨ内の前記ＵＣＩを送信すると決定すること
を備える、Ｃ２０に記載の方法。
［Ｃ２２］
バンドリングされた送信として、前記ＵＥが前記ＵＣＩをいつ送信するかを決定することは、
ＵＣＩが、前記ＵＥによってＰＵＳＣＨ上で送信されるか、または物理アップリンク制御チャネル（ＰＵＣＣＨ）上で送信されるかに依存して、前記ＵＥが、異なる周波数リソース上で前記ＵＣＩを送信すると決定すること
を備える、Ｃ２０に記載の方法。
［Ｃ２３］
前記バンドリングされた送信の１つまたは複数のパラメータに少なくとも部分的に基づいて、ＵＣＩリソースを計算すること
をさらに備え、
バンドリングされた送信についての前記ＵＣＩリソース計算は、バンドリングなしのＵＣＩリソース計算とは異なる、Ｃ１６に記載の方法。
［Ｃ２４］
前記ＵＣＩリソース計算は、バンドリングサイズに少なくとも部分的に基づく、Ｃ２３に記載の方法。
［Ｃ２５］
前記ＵＣＩリソース計算は、ＰＵＳＣＨとＵＣＩとの重複の量に少なくとも部分的に基づく、Ｃ２３に記載の方法。
［Ｃ２６］
前記バンドリングされた送信の１つまたは複数のパラメータに基づいて、バンドリングされた送信として、前記ＵＥが、どのタイプのＵＣＩを送信するかを決定することをさらに備える、Ｃ１６に記載の方法。
［Ｃ２７］
前記バンドリングされた送信の前記１つまたは複数のパラメータは、バンドリングの長さ、トランスポートブロックのサイズ、またはリソース割り当てのサイズのうちの少なくとも１つを備える、Ｃ２６に記載の方法。
［Ｃ２８］
前記バンドリングされた送信の１つまたは複数のパラメータに基づいて、バンドリングされた送信として、前記ＵＥが、どのタイプのＵＣＩを送信するかを決定することは、
前記ＵＥが、バンドリングされた送信として、ランクインジケーション（ＲＩ）またはチャネル品質インジケータ（ＣＱＩ）のうちの少なくとも１つを送信すると決定すること
を備える、Ｃ２６に記載の方法。
［Ｃ２９］
ユーザ機器（ＵＥ）によってサブフレームのバンドルにわたって、バンドリングされた送信としてアップリンク制御情報（ＵＣＩ）を送信するための装置であって、
物理アップリンク共有チャネル（ＰＵＳＣＨ）を送信するために第１のバンドリングサイズを決定し、前記ＵＣＩを送信するために第２のバンドリングサイズを決定するように構成された少なくとも１つのプロセッサと、
前記第１および第２のバンドリングサイズに従って、バンドリングされた送信として前記ＵＣＩおよび前記ＰＵＳＣＨを送信するように構成された送信機と
を備える、装置。
［Ｃ３０］
基地局（ＢＳ）によってサブフレームのバンドルにわたって、バンドリングされた送信としてアップリンク制御情報（ＵＣＩ）を受信するための装置であって、
物理アップリンク共有チャネル（ＰＵＳＣＨ）を送信するために、ユーザ機器（ＵＥ）のための第１のバンドリングサイズを決定し、前記ＵＣＩを送信するために、前記ＵＥのための第２のバンドリングサイズを決定するように構成された少なくとも１つのプロセッサと、
前記第１および第２のバンドリングサイズに従って、前記ＵＥからのバンドリングされた送信として前記ＵＣＩおよび前記ＰＵＳＣＨを受信するように構成された受信機と
を備える、装置。